(57)【要約】【課題】  海岸等で使用されるような比較的多く繰り返される扉体閉鎖時の衝突に対して耐久性と水密性を保持することができる、フラップゲートおよびこれに用いられる水密ゴムを提供する。【解決手段】  扉体５の開口部２１側の面における戸当たり２２と当接しうる位置に沿って固定されている略矩形枠状の枠状固定部８１と、この枠状固定部８１から段差を設けるようにして枠状に突出されているとともに、その上端面が平坦状に形成され、かつ中空を有しない中実状態に形成されている荷重支持部８２と、この荷重支持部８２の平坦状上端面８６からさらに段差を設けるようにして枠状に突出形成されている凸状止水部８３とを有する。【選択図】  図６
2019120120.tif 000002
【特許請求の範囲】
【請求項１】
水門の開口部を閉鎖するフラップゲートであって、前記開口部を開閉させる扉体が扉体支持軸周りに揺動自在に支持されているとともに、前記扉体には閉鎖時に前記開口部における開口端の戸当たりに当接して水密を確保する水密ゴムが設けられており、
前記水密ゴムは、前記扉体の開口部側の面における前記戸当たりと当接しうる位置に沿って固定されている略矩形枠状の枠状固定部と、
この枠状固定部から段差を設けるようにして枠状に突出されているとともに、その上端面が平坦状に形成され、かつ中空を有しない中実状態に形成されている荷重支持部と、
この荷重支持部の平坦状上端面からさらに段差を設けるようにして枠状に突出形成されている凸状止水部とを有する、前記フラップゲート。
【請求項２】
前記凸状止水部が、前記荷重支持部の平坦状上端面における幅方向の略中央位置に沿って枠状に突出形成されている、請求項１に記載のフラップゲート。
【請求項３】
前記凸状止水部が、その縦断面形状において半円状をなす凸曲面状に形成されている、請求項１または請求項２に記載のフラップゲート。
【請求項４】
前記凸状止水部が、その縦断面形状において三角形凸状に形成されている、請求項１または請求項２に記載のフラップゲート。
【請求項５】
前記凸状止水部が、その縦断面形状において四角形凸状に形成されている、請求項１または請求項２に記載のフラップゲート。
【請求項６】
前記荷重支持部の平坦状上端面から前記凸状止水部の頂部までの高さ寸法が、前記荷重支持部の平坦状上端面の幅寸法に対して０．０７５倍から０．２５倍の範囲内で形成されている、請求項１から請求項５のいずれかに記載のフラップゲート。
【請求項７】
前記枠状固定部のうち前記扉体と接する面には、前記凸状止水部に対応する裏側位置に枠状の溝に形成された枠状緩衝溝と、この枠状緩衝溝を境にして外縁側および内縁側の両側に平坦状に形成されて前記扉体と接触する接触面とを有する、請求項１から請求項６のいずれかに記載のフラップゲート。
【請求項８】
水門の開口部を閉鎖するフラップゲートにおける扉体の前記開口部側に設けられ、閉鎖時に前記開口部の開口端の戸当たりに当接して水密を確保する水密ゴムであって、
前記扉体の開口部側の面における前記戸当たりと当接しうる位置に沿って固定される略矩形枠状の枠状固定部と、
この枠状固定部から段差を設けるようにして枠状に突出されているとともに、その上端面が平坦状に形成され、かつ中空を有しない中実状態に形成されている荷重支持部と、
この荷重支持部の平坦状上端面からさらに段差を設けるようにして枠状に突出形成されている凸状止水部とを有する、前記水密ゴム。
【発明の詳細な説明】
【技術分野】
【０００１】
本発明は、水門の開口部を閉鎖するフラップゲートおよびこれに用いられる水密ゴムに関するものである。
【背景技術】
【０００２】
水門や樋門には、排水を行うために河川や湖、海岸等に向けて開口部が設けられている。また、前記開口部には、津波や高潮等による逆流を防止するフラップゲートが設けられている。このフラップゲートは、前記開口部を開閉させる扉体が扉体支持軸周りに揺動自在に支持されており、前記扉体が自重や水圧によって前記開口部の開口端の戸当たりに当接することで前記開口部を閉鎖するようになっている。
【０００３】
従来、閉鎖時に戸当たりとの水密を確保する水密ゴムが設けられたフラップゲートに関する発明が提案されている。例えば、特開平９−１３２９３７号公報には、円形または角形扉体の上部両側にアーム取付部を設け、その両アーム取付部に、それぞれ戸当りに設けたブラケットに上端を枢着したアームの下端を枢着し、かつ前記扉体に外側を前記戸当りとの接触面より突出させたタガ状の水密ゴムを装着した管渠用フラップゲートが開示されている（特許文献１）。
【０００４】
また、特許文献１を含め従来のフラップゲートに設けられる水密ゴムには、図１５の試験体１４に係る図で示すように、断面形状がＰの字形状のＰ型水密ゴムが使用されている。このＰ型水密ゴムは、戸当たりに接触する部分の内部に空隙があり、閉鎖時の荷重によって変形することにより戸当たりにフィットし、水密を確保するようになっている。
【先行技術文献】
【特許文献】
【０００５】
【特許文献１】特開平９−１３２９３７号公報
【発明の概要】
【発明が解決しようとする課題】
【０００６】
しかしながら、本発明者らは、特許文献１に記載された発明に用いられるＰ型水密ゴムが閉鎖時の荷重を繰り返し受けると外周部に引張力が働き、破損しやすいことを見い出した。従来のフラップゲートは河川等で使用されることが多く、開閉動作が比較的少ない水門に用いられていたため、問題とされていなかったが、近年、海岸に設置されるフラップゲートが増えてくると、波浪によって繰り返し戸当たりに打ち付けられることで水密ゴムの劣化や損傷が生じやすい。このため、フラップゲートおよびこれに用いられる水密ゴムとして、単に閉鎖時の水密性を確保するだけではなく、例えば海岸のような波浪によって扉体の開閉による衝突が比較的多く繰り返される使用下における耐久性の向上が必要であるとの課題を見い出した。
【０００７】
本発明は、以上のような問題点を解決するためになされたものであって、海岸等で使用されるような比較的多く繰り返される扉体閉鎖時の衝突に対して耐久性と水密性を保持することができる、フラップゲートおよびこれに用いられる水密ゴムを提供することを目的としている。
【課題を解決するための手段】
【０００８】
本発明に係るフラップゲートは、比較的多く繰り返される閉鎖時の衝突に対する耐久性を向上させるという課題を解決するために、水門の開口部を閉鎖するフラップゲートであって、前記開口部を開閉させる扉体が扉体支持軸周りに揺動自在に支持されているとともに、前記扉体には閉鎖時に前記開口部における開口端の戸当たりに当接して水密を確保する水密ゴムが設けられており、前記水密ゴムは、前記扉体の開口部側の面における前記戸当たりと当接しうる位置に沿って密着固定されている略矩形枠状の枠状固定部と、この枠状固定部から段差を設けるようにして枠状に突出されているとともに、その上端面が平坦状に形成され、かつ中空を有しない中実状態に形成されている荷重支持部と、この荷重支持部の平坦状上端面からさらに段差を設けるようにして枠状に突出形成されている凸状止水部とを有する。
【０００９】
また、本発明の一態様として、比較的多く繰り返される閉鎖時の衝突に対して安定的に耐久性を高めるという課題を解決するために、前記凸状止水部が、前記荷重支持部の平坦状上端面における幅方向の略中央位置に沿って枠状に突出形成されていてもよい。
【００１０】
さらに、本発明の一態様として、比較的多く繰り返し衝突する扉体閉鎖時の戸当たりとの隙間における止水性に適した凸状止水部の形状を提供するという課題を解決するために、前記凸状止水部が、その縦断面形状において半円状をなす凸曲面状に形成されていてもよい。
【００１１】
また、本発明の一態様として、比較的多く繰り返し衝突する扉体閉鎖時の戸当たりとの隙間における止水性に適した凸状止水部の形状を提供するという課題を解決するために、前記凸状止水部が、その縦断面形状において三角形凸状に形成されていてもよい。
【００１２】
さらに、本発明の一態様として、比較的多く繰り返し衝突する扉体閉鎖時の戸当たりとの隙間における止水性に適した凸状止水部の形状を提供するという課題を解決するために、前記凸状止水部が、その縦断面形状において四角形凸状に形成されていてもよい。
【００１３】
また、本発明の一態様として、比較的多く繰り返される衝突に対する耐久性および閉鎖時の戸当たりとの隙間における止水性を向上させるとともに、製作精度を確保するという課題を解決するために、前記荷重支持部の平坦状上端面から前記凸状止水部の頂部までの高さ寸法が、前記荷重支持部の平坦状上端面の幅寸法に対して０．０７５倍から０．２５倍の範囲内で形成されていてもよい。
【００１４】
さらに、本発明の一態様として、比較的多く繰り返される衝突時の衝撃を緩和させて耐久性を向上させるという課題を解決するために、前記枠状固定部の前記扉体と当接する側に、枠状の前記凸状止水部の裏側に当たる位置に沿って凹状に形成された凹状緩衝溝と、この凹状緩衝溝を挟んで外縁側および内縁側の両側に前記扉体の開口部側の面に密接して水密性を確保する水密面とを有するようにしてもよい。
【００１５】
本発明に係る水密ゴムは、フラップゲートによる水門の扉体閉鎖時において繰り返される複数回の衝突に対する耐久性を向上させるという課題を解決するために、水門の開口部を閉鎖するフラップゲートにおける扉体の前記開口部側に設けられ、閉鎖時に前記開口部の開口端の戸当たりに当接して水密を確保する水密ゴムであって、前記扉体の開口部側の面における前記戸当たりと当接しうる位置に沿って密着固定されている略矩形枠状の枠状固定部と、この枠状固定部から段差を設けるようにして枠状に突出されているとともに、その上端面が平坦状に形成され、かつ中空を有しない中実状態に形成されている荷重支持部と、この荷重支持部の平坦状上端面からさらに段差を設けるようにして枠状に突出形成されている凸状止水部とを有する。
【発明の効果】
【００１６】
本発明によれば、海岸等で使用されるような比較的多く繰り返される扉体閉鎖時の衝突に対して耐久性と水密性を保持することができる。
【図面の簡単な説明】
【００１７】
【図１】本発明に係るフラップゲートの第一実施形態を示す側面断面図である。
【図２】本第一実施形態のフラップゲートを示す正面図である。
【図３】本第一実施形態のフラップゲートにおける背面側から見た斜視図である。
【図４】本第一実施形態のフラップゲートにおける正面側から見た斜視図である。
【図５】本第一実施形態の水密ゴムを示す正面図である。
【図６】図５に示すＡ−Ａ線断面図である。
【図７】荷重支持部の縦断面形状を略台形状とした第一実施形態の水密ゴムを示す切断部端面図である。
【図８】平坦状上端面および枠状固定部の角部を面取りした第一実施形態の水密ゴムを示す断面図である。
【図９】凸状止水部の縦断面形状を三角形凸状に形成した第一実施形態の水密ゴムを示す断面図である。
【図１０】凸状止水部の縦断面形状を四角形凸状に形成した第一実施形態の水密ゴムを示す断面図である。
【図１１】本第一実施形態の水密ゴムが戸当たりと当接している状態を示す拡大断面図図である。
【図１２】本発明に係るフラップゲートの第二実施形態における水密ゴムを示す断面図である。
【図１３】本第二実施形態の水密ゴムを示す背面図である。
【図１４】本第二実施形態において略三角形状の凹状緩衝溝が形成された水密ゴムを示す断面図である。
【図１５】本実施例１において試作した水密ゴムの切断端面図および寸法を示す図である。
【図１６】本実施例１における耐久性の試験状況を示すデジタル写真画像である。
【図１７】本実施例１において耐久性の検証に用いた耐久試験機を示す側面図である。
【発明を実施するための形態】
【００１８】
以下、本発明に係るフラップゲートおよびこれに用いられる水密ゴムの第一実施形態について図面を用いて説明する。
【００１９】
本第一実施形態のフラップゲート１は、水門２の開口部２１を閉鎖するものであって、図１から図４に示すように、主に、水門２の開口部２１の上方に設けられる扉体支持軸３と、この扉体支持軸３に固定される左右一対の揺動アーム４と、この揺動アーム４の下端に設けられるとともに前記水門２の前記開口部２１を開閉する扉体５と、この扉体５の開閉に係る重量バランスを調整するバランスウェイト６と、前記扉体５に係る浮力を調整するフロート７と、前記扉体５の背面側（水門２の開口部２１側）の面に設けられる水密ゴム８とを有する。以下、各構成について詳細に説明する。
【００２０】
扉体支持軸３は、揺動アーム４を介して扉体５を揺動自在に支持するためのものである。本第一実施形態における扉体支持軸３は、１本の円柱状に形成されており、図１および図２に示すように、水門２の上部に設置された一対の軸受３１を介して略水平状態でかつ揺動自在に支持されている。また、一対の前記軸受３１は、開口部２１の上方に設けられた軸受固定具３２を介して水門２に固定されている。
【００２１】
なお、扉体支持軸３は、１本に限定されるものではなく、支持する扉体５の重量が重い場合には、１枚の扉体５を略水平方向に沿って並べた複数本の扉体支持軸３によって支持するように構成してもよい。また、軸受３１は、一対のものに限定されるものではなく、１本の扉体支持軸３を３箇所以上に配置された軸受３１で支持するように構成してもよい。
【００２２】
揺動アーム４は、図１から図４に示すように、略上下方向に長尺板状に形成された鋼材等により形成されている。本第一実施形態における揺動アーム４は、左右対称に一対に配置されているとともに、上下方向の略中間位置において扉体支持軸３に対して貫通した状態で溶接等によって固定されている。
【００２３】
なお、揺動アーム４は、一対で構成されるものに限定されるものではなく、１本または３本以上で構成されていてもよい。また、揺動アーム４は、扉体支持軸３に対して固定されるものに限定されるものではなく、例えば、扉体支持軸３を水門２の上部に略水平状態で固定し、前記揺動アーム４と前記扉体支持軸３との間に軸受３１を設けて前記扉体支持軸３に対して揺動自在に支持されていてもよい。
【００２４】
扉体５は、水門２の開口部２１を開閉するものであり、開口部２１を閉塞可能な大きさに形成されており、本第一実施形態では、前記開口部２１より一回り大きい寸法の略矩形状に形成されている。また、扉体５の前記開口部２１の端面に配置される戸当たり２２と当接しうる位置には、ボルトおよびナットによって水密ゴム８を固定するための複数の固定孔５１が形成されている。この扉体５は、一対の揺動アーム４の各下端部に固定されており、扉体支持軸３周りに揺動しうるように支持されている。
【００２５】
なお、扉体５は、略矩形状に限定されるものではなく、水門２の開口部２１の形状に応じて適宜形成してよく、複数枚の扉体５を併設するように構成してもよい。
【００２６】
バランスウェイト６は、扉体支持軸３を中心とした扉体５との重量バランスを調整するためのものであり、本第一実施形態では、図１に示すように、一対の揺動アーム４の各上端に跨るように取り付けられている。本第一実施形態におけるバランスウェイト６は、扉体５に浮力や水圧または風圧等の外力を受けていない場合において、図１に示すように、扉体５が開口部２１を僅かに開放する重量バランスに調整されている。
【００２７】
なお、浮力や水圧または風圧等の外力を受けていない初期位置の扉体５の状態については、僅かに開放する状態に限定されるものではなく、全閉、全開または所定の角度位置で開放する状態等に適宜選択してよい。また、バランスウェイト６は、扉体支持軸３周りに支持される扉体５によって予め所定の重量バランスが取られている場合には、取り付けられていなくてもよい。
【００２８】
フロート７は、扉体５に働く浮力を調整するものであり、発泡ウレタンや発泡スチロールなどの単位体積当たりの重量が軽い素材によって形成されている。本第一実施形態におけるフロート７は、図２に示すように、扉体５の開口部２１側の面に突出するように設置されている。これによりフロート７による浮力は、上流側の水位が上昇した場合には扉体５を開放させるように作用するとともに、扉体５の閉鎖時にはその浮力の中心が扉体支持軸３よりも上流側に位置するため、前記扉体５を閉鎖する方向に作用する。
【００２９】
なお、フロート７は、扉体５に働く浮力が十分な場合には、前記扉体５に設置しなくてもよい。
【００３０】
次に、水密ゴム８について説明する。本第一実施形態の水密ゴム８は、比較的多く繰り返される扉体閉鎖時の衝突に対する耐久性を向上させる構成を備えており、図５および図６に示すように、扉体５の開口部２１側の面に密着固定する枠状固定部８１と、この枠状固定部８１から段差を設けるように突出形成される荷重支持部８２と、この荷重支持部８２からさらに段差を設けるように突出形成される凸状止水部８３とを有する。
【００３１】
枠状固定部８１は、扉体５の開口部２１側の面に密着固定する部分であって扉体５と水密ゴム８との水密性を確保するためのものである。本第一実施形態における枠状固定部８１は、図５に示すように、開口部２１の形状に応じて略矩形枠状に形成されているとともに、扉体５にボルトおよびナットによる締結固定するための複数の固定孔８４が開口されている。また、図６に示すように、枠状固定部８１の扉体５側の角部８５は、耐久性を高めるためにＲ形状に形成されている。
【００３２】
荷重支持部８２は、従来の河川における使用状態とは異なり、海岸で使用されることにより波浪によって繰り返し受ける扉体閉鎖時の衝突や大きな水圧、さらに海岸用の扉体５は大型の扉体５が使用されるため、その大荷重にも耐えられるような構成とされている。図５および図６に示すように、本第一実施形態の荷重支持部８２は枠状固定部８１から段差を設けるようにして枠状に突出形成されている。また、荷重支持部８２の上端面は、戸当たり２２に当接した場合の単位面積当たりの前記荷重を軽くするため、前記戸当たり２２と当接する面積が広くなるように略平坦状に形成されている。また、平坦状上端面８６の角部８７は、繰り返される衝突によって破損しにくいように、所定の半径を有するＲ形状に形成されている。
【００３３】
平坦状上端面８６の面積は、枠に沿った長手方向の長さ寸法と、これに直交する幅方向の寸法との積によって算出することができるが、枠に沿った長手方向の長さは戸当たり２２と当接する位置の長さによって予め定まる寸法である。よって、平坦状上端面８６に必要な面積は、幅方向の寸法によって設定される。この幅方向の寸法は、想定される荷重に応じて適宜設定される寸法であるが、例えば約１５００ｍｍ四方の水密ゴム８の場合、Ｒ形状の角部８７を含めて約３０ｍｍから約５０ｍｍの範囲で設定されることが好ましい。
【００３４】
また、荷重支持部８２は、上述のような用途によって荷重を受けた際に必要以上に変形しないようにするために、中空を有しない中実状態に形成されている。本第一実施形態における荷重支持部８２は、図６に示すように、中実状態でかつ断面形状が略矩形状に形成されている。このとき荷重支持部８２を枠状固定部８１から突出させる高さは、特に限定されるものではないが、扉体５に締結固定されている状態ではボルトまたはナットが枠状固定部８１の上面より突出するため、扉体閉鎖時に前記ボルトまたは前記ナットが扉体５に当接しない高さ寸法に形成されている。
【００３５】
なお、荷重支持部８２の断面形状は、略矩形状に限定されるものではなく、例えば図７に示すように、平坦状上端面８６の幅寸法に比べて枠状固定部８１側の幅寸法を長くした略台形状であってもよい。また、平坦状上端面８６の角部８７および枠状固定部８１の角部８５は、Ｒ形状に限定されるものではなく、図８に示すように、４５度等に面取りされた形状であってもよい。
【００３６】
凸状止水部８３は、扉体閉鎖時に戸当たり２２との水密性を確保する部分であり、図６に示すように、荷重支持部８２の平坦状上端面８６からさらに段差を設けるようにして前記荷重支持部８２に沿って枠状に突出形成されている。つまり、凸状止水部８３は、前記荷重支持部８２の平坦状上端面８６より幅を狭くして突出されている。これにより凸状止水部８３は、前記荷重支持部８２よりも変形し易くなっており、扉体閉鎖時に戸当たり２２にフィットするように変形して、水密性を確保することができる。
【００３７】
また、本第一実施形態における凸状止水部８３は、荷重支持部８２の平坦状上端面８６から突出されていればどの位置に形成されていても良いが、安定的な耐久性を確保するためには、前記荷重支持部８２の平坦状上端面８６における幅方向の略中央位置に突出形成されていることが好ましい。これにより荷重支持部８２においてバランスよく荷重を受けられる。
【００３８】
さらに、本第一実施形態における凸状止水部８３は、図６に示すように、縦断面形状において半円状をなす凸曲面状に形成されている。これにより、後述する実施例１で説明するように、扉体閉鎖時の戸当たり２２との隙間における止水性を確保するとともに、比較的頻繁に繰り返される扉体閉鎖時の衝突に対する耐久性が得られる。
【００３９】
なお、前記凸状止水部８３の縦断面形状は、半円状をなす凸曲面状に限定されるものではなく、例えば、図９に示すように、三角形凸状であって、一辺が前記荷重支持部８２の平坦状上端面８６に沿うように配置されるとともにその頂点が戸当たり２２側に配置されるようにしてもよい。また、図１０に示すように、矩形状や台形状からなる四角形凸状であって、一辺が前記荷重支持部８２の平坦状上端面８６に沿うように配置されていてもよい。
【００４０】
また、本第一実施形態における凸状止水部８３は、製作精度や接合部精度を考慮すると、前記荷重支持部８２の平坦状上端面８６から前記凸状止水部８３の頂部８８までの高さ寸法が、前記荷重支持部８２の平坦状上端面８６の幅寸法に対して０．０７５倍から０．２５倍の範囲内で形成されていることが好ましい。このように規定することにより、扉体５の大きさに応じて適宜構成される荷重支持部８２の大きさに対して凸状止水部８３の高さを適切に設定することが可能となる。例えば、前記平坦状上端面８６の幅寸法が約４０ｍｍの場合は、約３ｍｍから約１０ｍｍの範囲内で形成されることが好ましい。
【００４１】
また、本第一実施形態の水密ゴム８の素材として、合成ゴム素材や天然ゴム素材、またはこれらに炭素材や繊維材等を適宜添加、または混合したゴム素材が例示される。製造方法としては、合成ゴム素材等を図６に示すような断面形状の外形線に沿った型枠を用いた押し出し加工によって棒状の水密ゴム８を作成するとともに、図５に示すように、端部８９を４５度等の所定の角度に形成し前記端部８９同士を加硫接着や接着材で貼り合わせることで枠状に形成している。このように棒状の水密ゴム８の端部８９同士を貼り合わせて形成することで、種々の大きさの枠状に形成することができる。また、同素材により一体的に形成することで、押し出し加工等の既存の製造方法によって安価でかつ大量に形成することが可能となるとともに、熱膨張率の異なる素材同士を貼り合わせて形成したときに生じる撓みが生じることもなくなる。
【００４２】
なお、水密ゴム８は、合成ゴム素材等に限定されるものではなく、扉体閉鎖時に受ける荷重によって凸状止水部８３が変形可能な柔軟性とともに、必要な耐久性等を考慮して適宜選択してよい。また、水密ゴム８の製造方法は、押し出し加工に限定されるものではなく、金型に合成ゴム素材等を注入して一体的に形成してもよい。さらに、水密ゴム８の枠状角部の構成は、所定の角度に形成した端部８９同士を貼り合わせてなる構成に限定されるものではなく、別途Ｌ字状の枠状角部を形成し、前記棒状のＬ字状の枠状角部の各端部に、水密ゴム８の端部８９を貼り合わせることで略矩形枠状に形成してもよい。
【００４３】
以上のように枠状に形成された水密ゴム８は、図３に示すように、枠状固定部８１の固定孔８４に沿うように略矩形板状に形成されたゴム押さえ板９を介して、ボルトおよびナットによって扉体５に締結固定される。
【００４４】
次に、本第一実施形態のフラップゲート１およびこれに用いられる水密ゴム８の各構成における作用について説明する。
【００４５】
本第一実施形態のフラップゲート１では、水門２の上流側から排水が流れてきた場合、扉体５が排水の水圧によって下流側へと押される。前記扉体５は、扉体５側の重量とバランスウエイト６側の重量とがバランスする状態で支持されているため、少しの水圧で開放する方向に揺動する。また、フロート７が、上流側の水位の上昇に応じて扉体５を開放する方向に浮力を生じさせる。よって、扉体５は水圧や水位に応じて自動的に開口部２１を開放する方向に揺動し、排水の妨げとならない。
【００４６】
次に、高潮等によって下流の水位が上昇し水門２に逆流する水圧を受ける場合または波浪による水圧受ける場合について説明する。この場合、扉体５は水圧によって閉鎖する方向に揺動し前記開口部２１を閉鎖する。フロート７は、浮力の中心位置が扉体支持軸３よりも上流側に配置されているため、開口部２１より上流側の水位の上昇とともに浮力が生じ、扉体５を閉鎖する方向に揺動させる回転モーメントを生じさせる。よって、扉体５は水圧やフロート７による浮力等によって閉鎖方向に荷重を受ける。
【００４７】
水密ゴム８は、図１１に示すように、扉体５にかかる閉鎖方向への荷重によって戸当たり２２に当接する。凸状止水部８３は、戸当たり２２に当接することで押し潰されるように変形する。これにより凸状止水部８３が前記荷重支持部８２の平坦状上端面８６と前記戸当たり２２との間の隙間を埋めて止水する。また、枠状固定部８１が扉体５の開口部２１側の面と密着固定されている。よって、水密ゴム８は、閉鎖時の扉体５と戸当たり２２との水密を確保することができる。また、荷重支持部８２は、締結固定用のボルトやナットの高さよりも高く形成されているため、扉体閉鎖時に前記ボルトや前記ナットが戸当たり２２に当接することなく、水密を保つことができる。
【００４８】
また、凸状止水部８３は、後述の実施例１に示すように、従来のＰ型水密ゴムと比較して、繰り返される衝突に対して損傷し難い。荷重支持部８２も、中空を有しない中実状態に形成されているとともに、前記凸状止水部８３が完全に潰れるような大きな荷重によって戸当たり２２と当接しても平坦状上端面８６によって単位面積当たりの荷重が分散されため、変形し難く亀裂等が生じることがない。また、本第一実施形態では、凸状止水部８３が平坦状上端面８６における幅方向の略中央位置に突出形成されているため、荷重を前記凸状止水部８３を挟んだ両側で受けることができ、衝突に対する耐久性をより安定的に高めることができる。よって、本第一実施形態の水密ゴム８は、荷重支持部８２と凸状止水部８３との作用により、波浪等によって戸当たり２２に何度も繰り返される大きな衝突に対する耐久性と水密性が高い。
【００４９】
以上のような本第一実施形態のフラップゲート１およびこれに用いられる水密ゴム８によれば、以下の効果を得ることができる。
１．平坦状上端面８６を備えるとともに中実状態に形成されている荷重支持部８２によって、海岸等で使用されるような比較的多く繰り返される扉体閉鎖時の衝突に対して耐久性を向上させることができる。
２．平坦状上端面８６から突出する凸状止水部８３を備えることで繰り返される扉体閉鎖時の衝突に対する耐久性とともに水密性を確保することができる。
３．凸状止水部８３を縦断面形状において半円状をなす凸曲面状、三角形凸状または四角形凸状にすることで、衝突を繰り返す扉体閉鎖時の戸当たり２２との隙間における止水性を確保することができる。
４．一体的な形成が可能であり、押し出し加工等の既存の製造方法によって安価でかつ大量に形成することができる。
５．熱膨張率の異なる素材同士を貼り合わせて形成したときに生じる撓みが生じることもなく、安定的に高い耐久性および止水性を得ることができる。
【００５０】
次に、本発明に係るフラップゲートおよびこれに用いられる水密ゴムの第二実施形態について図面を用いて説明する。なお、前述した第一実施形態で説明した構成と同一または相当する構成については同一の符号を付して再度の説明を省略する。
【００５１】
本第二実施形態における枠状固定部８１は、比較的多く繰り返される衝突時の衝撃を緩和させて耐久性を向上させため、扉体５と接する側の面に、枠状に形成された枠状緩衝溝８１１と、この枠状緩衝溝８１１を境にして外縁側および内縁側に平坦状に形成された接触面８１２とを有する。
【００５２】
枠状緩衝溝８１１は、扉体５に固定された状態において、前記扉体５の開口部２１側の面と水密ゴム８との間に、前記水密ゴム８の変形を可能にする空間を確保するために形成された溝であり、本第二実施形態では、図１２に示すように、断面が半円状に湾曲されてなる凹状の溝によって構成されている。この枠状緩衝溝８１１は、図１３に示すように、枠状の凸状止水部８３に対応して裏側に当たる位置に枠状に形成されており、前記凸状止水部８３で受けた衝撃をその裏側で緩衝するようになっている。また、枠状緩衝溝８１１は、前記凸状止水部８３で受けた衝撃を十分に緩衝させることができるように、平坦状上端面８６から前記凸状止水部８３の頂部８８までの高さと同程度の深さと、その高さの４倍程度の幅（前記凸状止水部８３の基端幅の２倍程度の幅）とを有することが好ましい。なお、凹状緩衝溝８１１の断面形状は、半円状のものに限定されるものではなく、図１４に示すように、略三角形状や図示しないがその他、四角以上の多角形状に形成してもよい。
【００５３】
接触面８１２は、扉体５の開口部２１側の面に接する面である。この接触面８１２は、枠状緩衝溝８１１を境界にして外縁側および内縁側の両側に平坦状に形成されており、密着性が確保されている。また、凸状止水部８３が衝撃を受けた場合には、脚のように前記枠状緩衝溝８１１の形状を支持するようになっている。本第二実施形態における接触面８１２は、図１２に示すように、平坦に形成されており、扉体５との密接性を高めている。なお、接触面８１２は、枠状緩衝溝８１１を挟んで外縁側および内縁側の両側の全範囲にかかる面で扉体５と接するように構成されているが、これに限定されるものではなく、所定の密着性を確保することができれば外縁側および内縁側の一部範囲からなる面によって構成されていてもよい。
【００５４】
以上のような、本第二実施形態のフラップゲート１および水密ゴム８によれば、第一実施形態と同様の効果を奏するとともに、凸状止水部８３に衝撃を受けた場合、枠状緩衝溝８１１が水密ゴム８を変形させることのできる空間となって、受けた衝撃を緩和することができる。また、接触面８１２が、脚のように前記枠状緩衝溝８１１を支持するため、その形状を保持することができる。これらによって、凸状止水部８３が繰り返し受ける衝突時の衝撃を緩和させるとともに、水密ゴム８の耐久性を向上させることができる。
【００５５】
つぎに、本発明に係るフラップゲートおよびこれに用いられる水密ゴムの具体的な実施例について説明する。
【実施例１】
【００５６】
本実施例１では、本発明に係る水密ゴムについて凸状止水部の形状が異なる複数種の水密ゴムを試作し、耐久性、止水性、製作精度および接合部の精度について試験を行った。また、比較のため、凸状止水部を有しない水密ゴムおよび従来型であるＰ型水密ゴムについても同様の試験を行った。
【００５７】
『試験体の形状と物性値』
本実施例１では、本発明に係る水密ゴムが従来製品と比べて耐久性が向上するのか、凸状止水部の形状の相違によってどの程度耐久性に影響があるのかについて検証するために実証試験を行った。図１５に示すように、本実施例１に係る試験体は１２種類を用意し、それぞれ試験体１〜１２の番号を付している。また、比較例として凸状止水部のない水密ゴムを試験体１３とし、従来品である空隙を有するＰ型水密ゴムを試験体１４として用意した。図１５の図内に記載の数値はｍｍ単位の寸法を表している。
【００５８】
各試験体は、圧力釜で約１５０℃に加熱した合成ゴム素材を押し出し加工することにより製造した。耐久性の検証における試験体は、後述するように、長さが約１５０ｍｍにカットしたものを使用した。その他の検証においては、一辺が１５１０ｍｍの正方形枠体状のものを使用した。なお、正方形枠体状の試験体における角部は直線状の水密ゴムの端部を４５度の角度でカットし、それぞれ端部同士を加硫接着により固定することで構成されている。また、各試験体の素材には、引張強度１４．７Ｎ／ｍｍ２〜１６．７Ｎ／ｍｍ２、伸び３５０％〜４５０％、ショア硬度５０°〜６０°の合成ゴム素材が使用されている。
【００５９】
また、図１５に示すように、試験体１〜１２の枠状固定部は、厚さを１５ｍｍとするとともに幅を９０ｍｍとした。また、枠状固定部から凸状止水部の頂部までの高さ寸法を４０ｍｍとした。さらに、荷重支持部の平坦状上端面の幅は、Ｒ形状の角部を含んだ寸法を４０ｍｍとした。
【００６０】
試験体１〜１２の各凸状止水部の形状および寸法は以下の形状となるように作製した。
【００６１】
試験体１から試験体３までは、凸状止水部の形状を縦断面形状において半円状をなす凸曲面状に形成するとともに、それぞれの半円状の半径を３ｍｍ、５ｍｍ、１０ｍｍとなるように形成した。
【００６２】
試験体４から試験体６までは、凸状止水部の形状を縦断面形状において、先端の角度が約９０度となる三角形凸状に形成した。試験体４では凸状止水部が底辺６ｍｍ、高さ３ｍｍの二等片三角形状となるように形成した。試験体５では凸状止水部が底辺１０ｍｍ、高さ５ｍｍの二等片三角形状となるように形成した。試験体６では凸状止水部が底辺２０ｍｍ、高さ１０ｍｍの二等片三角形状となるように形成した。
【００６３】
試験体７から試験体９までは、凸状止水部の形状を縦断面形状において、先端の角度が約６０度となる三角形凸状に形成した。試験体７では凸状止水部が底辺３．５ｍｍ、高さ３ｍｍの二等片三角形状となるように形成した。試験体８では凸状止水部が底辺５．８ｍｍ、高さ５ｍｍの二等片三角形状となるように形成した。試験体９では凸状止水部が底辺１１．５ｍｍ、高さ１０ｍｍの二等片三角形状となるように形成した。
【００６４】
試験体１０から試験体１２までは、凸状止水部の形状を縦断面形状において四角形凸状に形成した。試験体１０では凸状止水部が一辺３ｍｍの正方形状となるように形成し、試験体１１では凸状止水部が一辺５ｍｍの正方形状となるように形成し、試験体１２では凸状止水部が一辺１０ｍｍの正方形状となるように形成した。
【００６５】
一方、試験体１３は、本発明に係る水密ゴムにおける凸状止水部のない形状の比較例として形成されている。枠状固定部は、本発明に係る水密ゴムと同様、厚さを１５ｍｍとするとともに幅を９０ｍｍとした。また、枠状固定部から荷重支持部の平坦状上端面までの高さ寸法を４０ｍｍとした。さらに、荷重支持部の平坦状上端面の幅は４０ｍｍとした。
【００６６】
また、試験体１４は、従来のフラップゲートに用いられるＰ型の水密ゴムである。戸当たりと当接する部分の外周部の直径は４０ｍｍとし、内部に直径２５ｍｍの空洞が形成されている。
【００６７】
『耐久性の検証』
耐久性の検証方法として、図１６および図１７に示すように、振り子式の耐久試験機を用いた。前記耐久試験機は、図１７に示すように、重量が約１００ｋｇ、回転軸からの長さが８７５ｍｍの鋼製の振り子を備える。また、前記振り子は、各試験体に衝突させる衝突板を有する。この衝突板は、各試験体の横幅よりやや広い略矩形状に形成されているとともに、前記回転軸から約５９６ｍｍの位置で各試験体に当接するように設置されている。
【００６８】
また、振り子の上端には、回転モータが配置されており、この回転モータに設けられたクランクシャフトが前記振り子を垂直状態からから約３８度の傾斜角度まで持ち上げるようになっている。前記振り子は持ち上げられた後、自重によって揺り戻されるようになっている。
【００６９】
各試験体は、長さが約１５０ｍｍにカットしたものを使用した。前記各試験体は、図１７に示すように、衝突板が略垂直状態のときに、凸状止水部の頂部が前記衝突板に衝突する位置に固定されている。
【００７０】
本実施例１では、毎分３０回で各試験体に衝突させるように回転モータを回転させ、前記各試験体が損傷（破断や裂傷など）する衝突回数に基づき耐久性を評価した。当該性能評価の結果を表１に示す。
【００７１】
【表１】
2019120120.tif 000003
【００７２】
表１の耐久性の欄において、○は１０万回以上の衝突に対して損傷がなかったものであり、耐久性が極めて高いと評価した。△は５万回以上１０万回未満の衝突に対して損傷があったものであり、耐久性が高いと評価した。×は５万回未満の衝突に対して損傷があったものであり、耐久性が低いと評価した。
【００７３】
表１に示すように、本発明に係る試験体１〜３の凸状止水部の形状を縦断面形状において半円状をなす凸曲面状に形成した水密ゴムは、いずれも１０万回以上の衝突に対して損傷がなく、耐久性が極めて高かった。
【００７４】
また、本発明に係る試験体４〜９の凸状止水部の形状を縦断面形状において三角形凸状に形成した水密ゴムは、いずれも５万回までの衝突に対して損傷がなく、耐久性が高かった。
【００７５】
さらに、本発明に係る試験体１０〜１２の凸状止水部の形状を縦断面形状において四角形凸状に形成した水密ゴムは、いずれも○または△の評価結果であって５万回までの衝突に対して損傷がなく、凸状止水部の高さが３ｍｍのものは１０万回以上の衝突にも耐えられた。
【００７６】
試験体１３の凸状止水部のない水密ゴムは、１０万回以上の衝突に対して損傷がなく評価は○だった。
【００７７】
これらに対し、従来品である試験体１４のＰ型水密ゴムについては、５万回未満の衝突で損傷が生じてしまい、他の形状に比べて明らかに耐久性が低かった。
【００７８】
以上より、従来のＰ型水密ゴムは繰り返される衝突に対する耐久性が低いのに対して、他の水密ゴムは耐久性が高かった。試験体１３の凸状止水部のない水密ゴムも、繰り返される衝突に対する耐久性が高かったことから、荷重支持部を中空を有しない中実状態に形成したこと、および、上端面を平坦状にして衝撃を面で受けるように構成したことが耐久性向上に影響しているものと思われる。なお、目視によると、試験体９は試験体６に比べて先端部の破損の程度が大きかった。これは、凸状止水部の先端の角度が鋭角であってその高さが高いため応力が集中し、先端部が破損し易くなったものと考えられる。
【００７９】
『扉体閉鎖時の止水性の検証』
止水性の検証方法は、まず試験体１〜１４を扉体に設置し、扉体下部を背面（開口部側に相当）から１．５ｋＮの力で引張り、各試験体の水密ゴムと戸当り金物との隙間を計測することにより止水性を評価した。
【００８０】
表１の止水性の欄において、○は０．２ｍｍの隙間ゲージが入る箇所がなかったものであり、止水性が極めて高いと評価した。△は０．３ｍｍの隙間ゲージが入る箇所がなかったものであり、止水性が高いと評価した。×は０．３ｍｍの隙間ゲージが入る箇所があったものであり、止水性が低いと評価した。
【００８１】
表１に示すように、従来品のＰ型水密ゴムは、０．２ｍｍの隙間ゲージが入る箇所がなく、止水性が極めて高い。
【００８２】
この点、試験体１および試験体２の凸状止水部の形状を縦断面形状において半円状をなす凸曲面状に形成した水密ゴムは、いずれも０．２ｍｍの隙間ゲージが入る箇所がなく、極めて高い止水性が得られる。また、試験体３の半円状の半径を大きくしたものも、０．３ｍｍの隙間ゲージが入る箇所がなく、高い止水性が得られる。
【００８３】
また、試験体４〜６の凸状止水部の形状を縦断面形状において先端の角度が約９０度となる三角形凸状に形成した水密ゴムは、いずれも０．２ｍｍの隙間ゲージが入る箇所がなく、極めて高い止水性が得られる。
【００８４】
さらに、試験体７および８の凸状止水部の形状を縦断面形状において先端の角度が約６０度となる三角形凸状に形成した水密ゴムは、いずれも０．２ｍｍの隙間ゲージが入る箇所がなく、極めて高い止水性が得られる。また、試験体９の凸状止水部の高さを１０ｍｍに大きくしたものも、０．３ｍｍの隙間ゲージが入る箇所がなく、高い止水性が得られる。
【００８５】
また、試験体１０〜１２の凸状止水部の形状を縦断面形状において四角形凸状に形成した水密ゴムは、いずれも０．２ｍｍの隙間ゲージが入る箇所がなく、極めて高い止水性が得られる。
【００８６】
これらに対し、試験体１３の凸状止水部のない水密ゴムは、０．３ｍｍの隙間ゲージが入る箇所があり、止水性は低い。試験体１３の場合、平坦状上端面と戸当たりとは面同士で接するが、前記水密ゴムの製造精度や扉体との固定時の寸法精度によって隙間が生じるが、荷重支持部が荷重によって変形し難く、生じた隙間を埋められないため、他の水密ゴムより隙間が大きくなったものと考えられる。
【００８７】
以上より、本発明に係る水密ゴムは、いずれも実用上十分な止水性が得られることがわかった。一方、凸状止水部を有しない場合では、止水性が低く、十分な水密性を確保できないことがわかった。
【００８８】
『製作精度の検証』
つぎに、凸状止水部の形状の違いによって製作精度にどのような影響があるか検証した。製作精度の検証方法としては、正方形枠体状に形成した水密ゴムにおいて、各辺２箇所（各辺中央位置から対称に５００ｍｍの２箇所）ずつ、計８箇所について、底面から凸状止水部の頂点までの高さｈの寸法を計測することで製作精度を評価した。
【００８９】
表１の製作精度（成型時）の欄において、○はｈ=４０ｍｍに対して誤差が全ての計測箇所において±１．０ｍｍ未満の場合であって極めて精度が高いと評価した。△はｈ=４０ｍｍに対して誤差が全ての計測箇所において±１．０ｍｍ以上、±１．５ｍｍ未満の場合であって精度が高いと評価した。×はｈ=４０ｍｍに対して誤差が全ての計測箇所において±１．５ｍｍ以上の場合であって精度が低いと評価した。
【００９０】
製作精度については、各試験体すべての水密ゴムにおいて、△以上の精度、つまり誤差が±１．０ｍｍ以上、±１．５ｍｍ未満よりも高い精度が得られた。特に凸状止水部を適正な大きさに製造することにより、極めて高い製作精度が得られることがわかった。
【００９１】
また、本発明に係る各水密ゴムについては、凸状止水部の高さが低くなると、製作精度が低くなる傾向があった。これは平坦状上端面に対して凸状止水部が低く、押し出し加工による製造方法では製作精度が出しにくいためと考えられる。
【００９２】
『接合部精度の検証』
接合部精度の検証方法は、端部同士を接着固定した接合箇所において、各々の高さを計測し、その高さのズレから接合部の精度を評価した。
【００９３】
表１の接合部精度（接着時）の欄において、○は高さのズレが０．５ｍｍ未満の場合であって精度が極めて高いと評価した。△は高さのズレが０．５ｍｍ以上、１．０ｍｍ未満の場合であって精度が高いと評価した。×は高さのズレが１．０ｍｍ以上の場合であって精度が低いと評価した。
【００９４】
この接合部精度については、いずれの水密ゴムにおいても△以上の精度、つまり高さのズレが０．５ｍｍ以上、１．０ｍｍ未満よりも高い精度が得られた。特に凸状止水部を適正な大きさに製造することにより極めて高い接合部精度が得られることがわかった。
【００９５】
また、本発明に係る各水密ゴムについては、凸状止水部の高さが低くなると、接合部精度が低くなる傾向があった。これは端部同士を接着する際に凸状止水部が低いと、高さを合わせ難く、端部接着による製造方法では接合部精度が出しにくいためと考えられる。
【００９６】
『まとめ』
以上より、本実施例１で試作した本発明に係る試験体１〜１２の水密ゴムは、いずれも繰り返される衝突に対する耐久性が従来のＰ型水密ゴムより極めて優れているとともに、扉体の閉鎖時にも高い止水性が得られることがわかった。特に、試験体２である荷重支持部の平坦状上端面の幅が４０ｍｍで、凸状止水部が半径５ｍｍの半円状に平坦状上端面から突出形成させた水密ゴムは、全ての性能評価において○の評価が得られ、総合評価として最も優れていた。また、本発明に係る水密ゴムの寸法は、本実施例１で試作した試験体１〜１２の寸法程度にするのが好ましいと考えられる。具体的には、荷重支持部の平坦状上端面から凸状止水部の頂部までの高さ寸法が、荷重支持部の平坦状上端面の幅寸法に対して０．０７５倍から０．２５倍の範囲内で形成されていることが好ましい。
【００９７】
なお、本発明に係るフラップゲートおよびこれに用いられる水密ゴムは、前述した各実施形態に限定されるものではなく、適宜変更することができる。例えば、水密ゴム８の固定方法はボルトおよびナットによるものに限定されるものではなく、接着材等によって固定してもよい。
【符号の説明】
【００９８】
１  フラップゲート
２  水門
３  扉体支持軸
４  揺動アーム
５  扉体
６  バランスウェイト
７  フロート
８  水密ゴム
９  ゴム押さえ板
２１  開口部
２２  戸当たり
３１  軸受
３２  軸受固定具
５１  固定孔
８１  枠状固定部
８２  荷重支持部
８３  凸状止水部
８４  固定孔
８５  枠状固定部の角部
８６  平坦状上端面
８７  平坦状上端面の角部
８８  凸状止水部の頂部
８９  端部
８１１  枠状緩衝溝
８１２  接触面
【図１】
2019120120.tif 000004
【図２】
2019120120.tif 000005
【図３】
2019120120.tif 000006
【図４】
2019120120.tif 000007
【図５】
2019120120.tif 000008
【図６】
2019120120.tif 000009
【図７】
2019120120.tif 000010
【図８】
2019120120.tif 000011
【図９】
2019120120.tif 000012
【図１０】
2019120120.tif 000013
【図１１】
2019120120.tif 000014
【図１２】
2019120120.tif 000015
【図１３】
2019120120.tif 000016
【図１４】
2019120120.tif 000017
【図１５】
2019120120.tif 000018
【図１６】
2019120120.tif 000019
【図１７】
2019120120.tif 000020